(57)【要約】  本発明は、相互接続されている一つ又は複数の情報家電所属データベースサーバと、一つ又は複数のホームゲートウェイサーバと、一つ又は複数の情報家電データ管理サーバから構成される情報家電のデータ蓄積システムを提供する。本発明は又、情報家電のネットワーク接続時のデータ処理方法とネットワーク接続切断時のデータ処理方法を含む情報家電のデータ処理方法を提供する。ホームゲートウェイサーバを介して情報家電の現在状態を情報家電データ管理サーバにリアルタイムに反映することができる。本発明のデータ蓄積システム及びデータ処理方法により、情報家電のデータを情報家電自体に保存しないことを達成し、情報家電のデータに対する集中管理が図られる。情報家電データ取得の面でユーザの利便性を向上させ、情報家電自身に対するデータ保存・処理能力の要求を低減する。通信事業者の情報家電サービスの管理・運営に活用しより広い業務展開が実現できる。
2010527475.tif 000002
【特許請求の範囲】
【請求項１】
相互接続されている一つ又は複数の情報家電所属データベースサーバと、一つ又は複数のホームゲートウェイサーバと、一つ又は複数の情報家電データ管理サーバとを備えた情報家電のデータ蓄積システムであって、
当該情報家電の身分識別番号を少なくとも含む情報家電の静的データを保存する前記情報家電所属データベースサーバと、
自分と接続している情報家電の状態をリアルタイムに監視する前記ホームゲートウェイサーバと、
情報家電の静的データと利用状態データ、及び前記情報家電に対応するホームゲートウェイサーバのアドレス情報を少なくとも含む利用状態にある情報家電の利用データを保存する前記情報家電データ管理サーバと、
を有することを特徴とする情報家電のデータ蓄積システム。
【請求項２】
通信ネットワークを介して相互接続されている前記情報家電所属データベースサーバと前記ホームゲートウェイサーバと前記情報家電データ管理サーバとを有することを特徴とする請求項１記載の前記情報家電のデータ蓄積システム。
【請求項３】
前記通信ネットワークは、相互接続されているＩＰマルチメディアサブシステムネットワーク及びＩＰアクセスネットワークを含み、前記情報家電所属データベースサーバ及び前記情報家電データ管理サーバは、前記ＩＰマルチメディアサブシステムネットワークに接続され、前記ホームゲートウェイサーバはＩＰアクセスネットワークに接続されることを特徴とする請求項２記載の方法。
【請求項４】
情報家電がホームゲートウェイサーバに接続する時に、ホームゲートウェイサーバに対して、自分の身分識別番号を送信するステップ１１と、
前記ホームゲートウェイサーバが、情報家電データ管理サーバに対して、前記身分識別番号を含むネットワーク接続メッセージを送信するステップ１２と、
前記情報家電データ管理サーバが前記ネットワーク接続メッセージを受信後に、前記ネットワーク接続メッセージから前記身分識別番号を取得するステップ１３と、
情報家電データ管理サーバが当該身分識別番号により、当該情報家電が所属する情報家電所属データベースサーバを検索し、前記情報家電所属データベースサーバから当該情報家電の静的データを取得するステップ１４と、
前記情報家電データ管理サーバが前記静的データを保存するステップ１５と、
前記情報家電データ管理サーバが当該静的データを前記ホームゲートウェイサーバに送信するステップ１６と、
前記ホームゲートウェイサーバが前記情報家電の静的データを保存するステップ１７と、
終了するステップ１８と、
を有することを特徴とする情報家電ネットワーク接続時のデータ処理方法。
【請求項５】
前記ステップ１３とステップ１４の間に更に、前記情報家電データ管理サーバに、前記身分識別番号が保存されているかどうかを検索し、保存されている場合は、ステップ１８を実行し、保存されていない場合は、ステップ１４を実行するステップ１３aを有することを特徴とする請求項４記載の方法。
【請求項６】
前記ステップ１３は、前記身分識別番号を取得後に更に、情報家電データ管理サーバが、自分で保存している、前記ホームゲートウェイサーバに対応する情報家電のネットワーク接続イベントを購読した購読者情報により、前記購読者に対応する購読設備に対して、前記身分識別番号を含むネットワーク接続イベントメッセージを送信するプロセスを含むことを特徴とする請求項４記載の方法。
【請求項７】
前記ステップ１４は、前記情報家電データ管理サーバが前記情報家電の静的データを取得後に更に、前記購読者に対応する購読設備に対して、前記身分識別番号を含むネットワーク接続イベントメッセージ及び前記情報家電の静的データを送信するプロセスを含むことを特徴とする請求項４記載の方法。
【請求項８】
前記ステップ１４は、前記購読者に対応する購読設備に対して、前記身分識別番号を含むネットワーク接続イベントメッセージ及び前記情報家電の静的データを送信する前に、更に、前記購読設備が、前記情報家電所属データベースサーバであるかどうかを判断し、前記情報家電所属データベースサーバである場合、前記情報家電所属データベースサーバに対して、前記ネットワーク接続イベントメッセージを送信し、前記情報家電所属データベースサーバでない場合、前記購読者に対して、前記身分識別番号を含む前記ネットワーク接続イベントメッセージ及び前記情報家電の静的データを送信するプロセスを含むことを特徴とする請求項７記載の方法。
【請求項９】
前記情報家電データ管理サーバに、前記情報家電の身分識別番号が保存されている場合、前記情報家電データ管理サーバは、保存している前記ホームゲートウェイサーバに対応する情報家電のネットワーク接続イベントを購読した購読者情報により、前記購読者に対応する購読設備に対して、前記身分識別番号を含むネットワーク接続イベントメッセージを送信してから、ステップ１８を実行する前記ステップ１３aを有することを特徴とする請求項５記載の方法。
【請求項１０】
情報家電データ管理サーバは当該情報家電の静的データを取得後に、更に、前記情報家電データ管理サーバは、保存している前記ホームゲートウェイサーバに対応する情報家電のネットワーク接続イベントを購読した購読者情報により、前記購読者に対応する購読設備に対して、前記身分識別番号を含むネットワーク接続イベントメッセージと前記情報家電の静的データを送信するプロセスも含むステップ１４を有することを特徴とする請求項９記載の方法。
【請求項１１】
前記購読者に対応する購読設備に対して、前記身分識別番号を含むネットワーク接続イベントメッセージと前記情報家電の静的データを送信する前に、更に、前記購読設備は、前記情報家電所属データベースサーバであるかどうかを判断する。前記情報家電所属データベースサーバである場合、前記情報家電所属データベースサーバに対して、前記身分識別番号を含むネットワーク接続イベントメッセージを送信する。逆の場合、前記購読者に対して、前記身分識別番号を含むネットワーク接続イベントメッセージと前記情報家電の静的データを送信することを特徴とする請求項１０記載の方法。
【請求項１２】
ホームゲートウェイサーバは情報家電の状態をリアルタイムに監視し、検出した情報家電の状態変化により、自分で保存している当該情報家電の状態データを更新するステップ２１と、
前記ホームゲートウェイサーバは、前記情報家電データ管理サーバに対して、更新後の状態データと前記情報家電の身分識別番号を含む状態更新メッセージを送信するステップ２２と、
前記情報家電データ管理サーバは、前記更新後の状態データにより、自分で保存している前記情報家電の状態データを更新するステップ２３と、
を有することを特徴とする情報家電の状態データ更新に対するデータ処理方法。
【請求項１３】
前記ステップ２３の後は更に、前記情報家電データ管理サーバは、保存している前記ホームゲートウェイサーバに対応する情報家電の状態データ更新イベントを購読した購読者情報により、前記購読者に対応する購読設備に対して、前記更新後の状態データと前記情報家電の身分識別番号を含む状態更新イベントメッセージを送信するプロセスも有することを特徴とする請求項１２記載の方法。
【請求項１４】
前記ホームゲートウェイサーバが、情報家電の接続状態をリアルタイムに監視し、自分との接続が切断したことを検出した後、前記情報家電データ管理サーバに対して、当該情報家電の身分識別番号を含むネットワーク接続切断メッセージを送信することを特徴とする情報家電の接続切断に対するデータ処理方法。
【請求項１５】
前記ホームゲートウェイサーバは、前記情報家電との間の接続切断を検出した後、自分で保存している情報家電のデータを削除することを特徴とする請求項１４記載の方法。
【請求項１６】
前記情報家電データ管理サーバは、前記ネットワーク接続切断メッセージを受信した後、自分で保存している前記情報家電のデータを削除することを特徴とする請求項１４又は請求項１５記載の方法。
【請求項１７】
前記情報家電データ管理サーバが、前記ネットワーク接続切断メッセージを受信した後、自分で保存している前記ホームゲートウェイサーバに対応する情報家電のネットワーク接続切断イベントを購読した購読者情報により、前記購読者に対応する購読設備に対して、前記情報家電の身分識別番号を含むネットワーク接続切断イベントメッセージを送信することを特徴とする請求項１４記載の方法。
【請求項１８】
前記ホームゲートウェイサーバは、前記情報家電との間の接続切断を検出した後、設定した時間帯で、前記情報家電が自分との再接続を検出しなければ、自分で保存している情報家電のデータを削除することを特徴とする請求項１５記載の方法。
【請求項１９】
前記情報家電データ管理サーバは、前記ネットワーク接続切断メッセージを受信した後、設定した時間帯で、当該情報家電からのデータ更新メッセージ又はネットワーク接続メッセージを受信しなければ、自分で保存している前記情報家電のデータを削除することを特徴とする請求項１６記載の方法。
【発明の詳細な説明】
【技術分野】
【０００１】
本発明はデータ蓄積システム及びデータ処理方法に関わる。特に情報家電のデータをネットワークにおけるサーバに保存し、情報家電の現在の状態をホームゲートウェイサーバを介して、情報家電データ管理サーバにリアルタイムに反映するデータ蓄積システム及びデータ処理方法に関する。
【背景技術】
【０００２】
ネットワーク技術と情報家電産業が発展すると共に、従来の単純な家電設備はネットワークに接続できる情報家電に進化してきた。情報家電は、又、ネットワーク家電と呼ばれ、ネットワークからのデータを受信したり、及びネットワークに自身のステータス情報をフィードバックすることができる。情報家電が誕生したため、ユーザーはインターネットを介して、家庭内部の情報家電のデータを了解し、外出先からも情報家電の状態を把握できるようになった。
【０００３】
従来の情報家電の関連データの保存方式は二つがある。
【０００４】
第一は、情報家電の関連データを当該情報家電自体のみに保存する方式である。ネットワークにおけるサーバや端末は、当該情報家電のデータを取得したい時に、ピアーツーピアー方式で当該情報家電に接続してデータを取得する。ピアーツーピアー方式において、ネットワークにおけるサーバや端末は、当該情報家電と直接な通信接続を確立でき、当該情報家電自身に直接接続することにより、データを取得する。その場合、全てのデータを情報家電自体に保存する必要があるため、情報家電自体に強力なデータ保存・処理能力が要求される。しかし、現在の情報家電製品は多種多様で、データ保存方式と通信方式の面で、大きな差異が存在している。ピアーツーピアー方式を適用できない情報家電もある。又、大量の情報家電のデータへの集中管理に対応できないため、ユーザーの家政管理にも、通信サービス事業者の情報家電サービスへの管理・運用にも利便性に欠ける欠点がある。
【０００５】
第二は、家庭内の情報家電をゲートウェイ装置を介してウェブサーバに接続させ、情報家電のデータを当該ウェブサーバにアップロードし、ウェブページアクセスの方式に基づき、ネットワークにおける他のサーバや端末に、当該情報家電のデータを提供する方式である。ユーザーはウェブページアクセスの方法で、家庭内の情報家電のデータを取得し、更にウェブページにアクセスする方式で家庭内の情報家電を管理する。このようなウェブページアクセスに基づく通信方式は、現在のインターネット上の資源を十分に利用できるが、ユーザーは対応するウェブページにアクセスしないと、ウェブサーバで更新された情報家電のデータを取得できないため、リアルタイム性に欠けるし、時間効率性も高くない。ウェブページアクセス方式において、大量のウェブページ情報（例えば、フォント等）を送信する必要があるため、情報交換のプロセスに大量なデータ伝送が発生してしまう。更に、ウェブページを表示・処理できる端末設備も必要となる。広く利用されている移動端末は、それ自身の原因や通信方式の原因があり、ウェブページ閲覧に対応できず、ユーザーが移動端末を利用して情報家電を制御・管理することは非常に困難である。又、ウェブページアクセスに基づく管理方式は、普通のパソコン用のウェブアクセスモードを採用するため、情報家電の識別に、主にＩＰ方式を利用する。ＩＰアドレスはいつも変化しているものであるため、情報家電のデータは依然として家電自体に保存される必要がある。又、ウェブサーバにより、情報家電のデータを管理・更新することも困難だと考えられる。
【発明の概要】
【発明が解決しようとする課題】
【０００６】
本発明の第１の目的は、情報家電所属データベースサーバと情報家電データ管理サーバを設置し、情報家電のデータを情報家電自体に保存することをネットワーク側に保存するように変え、情報家電のデータを情報家電自体に保存する必要性を無くし、情報家電データへの集中管理と、ネットワークにおけるサーバや端末からのデータ取得と、情報家電のデータによる情報家電への制御を容易にする情報家電のデータ蓄積システムを提供することにある。
【０００７】
本発明の第２の目的は、情報家電がネットネットワークに接続する時のデータ処理方法を提供することにある。情報家電の身分識別番号を含む当該情報家電のネットワーク接続メッセージを送信することにより、当該情報家電がネットワークに接続してきたことを情報家電データ管理サーバに通知すると共に、当該情報家電の静的データを取得する。ネットワークサーバを経由して、情報家電ネットワーク接続時の情報家電のデータに対するリアルタイム管理を実現する。
本発明の第３の目的は、情報家電のステータスデータ更新に対するデータ処理方法を提供することにある。ホームゲートウェイサーバで、情報家電の状態をリアルタイムに監視し、情報家電データ管理サーバに報告することにより、情報家電のステータスデータのリアルタイム更新を実現する。
本発明の第４の目的は、情報家電がネットワークへの接続切断時のデータ処理方法を提供することにある。ホームゲートウェイサーバにより、情報家電のネットワーク接続切断を検出し、情報家電データ管理サーバに報告することにより、情報家電がネットワークに接続切断時の情報家電データに対するリアルタイム管理を実現する。
【課題を解決するための手段】
【０００８】
本発明は上述目的を達成するため、情報家電のデータ蓄積システムを提供する。本発明にかかる情報家電のデータ蓄積システムは、
当該情報家電の身分識別番号情報を少なくとも含む情報家電の静的データを保存する一つ又は複数の前記情報家電所属データベースサーバと、
自分と接続されている情報家電の状態をリアルタイムに監視する一つか又は複数のホームゲートウェイサーバと、
情報家電の静的データと利用状態データ及び前記情報家電に対応するホームゲートウェイサーバのアドレス情報を少なくとも含む利用状態にある情報家電の利用データを保存する一つか又は複数の前記情報家電データ管理サーバと、
を有することを特徴とする情報家電のデータ蓄積システムである。
【０００９】
本発明は、又、情報家電がホームネットワークに接続する時のデータ処理方法を提供する。
情報家電がホームゲートウェイサーバに接続する時に、ホームゲートウェイサーバに対して、自分の身分識別番号を送信するステップ１１と、
前記ホームゲートウェイサーバが、情報家電データ管理サーバに対して、前記身分識別番号を含むネットワーク接続メッセージを送信するステップ１２と、
前記情報家電データ管理サーバが前記ネットワーク接続メッセージを受信後に、前記ネットワーク接続メッセージから前記身分識別番号を取得するステップ１３と、
情報家電データ管理サーバが当該身分識別番号により、当該情報家電が所属する情報家電所属データベースサーバを検索し、前記情報家電所属データベースサーバから、当該情報家電の静的データを取得するステップ１４と、
前記情報家電データ管理サーバが前記静的データを保存するステップ１５と、
前記情報家電データ管理サーバが当該静的データを前記ホームゲートウェイサーバに送信するステップ１６と、
前記ホームゲートウェイサーバが前記情報家電の静的データを保存するステップ１７と、
終了するステップ１８と、
を有することを特徴とする情報家電がネットワークに接続する時のデータ処理方法である。
本発明は更に、情報家電のステータスデータの更新に対するデータ処理方法を提供する。
前記ホームゲートウェイサーバが、情報家電のステータスをリアルタイムに監視すると共に、情報家電のステータスデータを取得する。情報家電のステータスデータに変化が発生した後、
ホームゲートウェイサーバが情報家電のステータスをリアルタイムに監視し、検出した情報家電のステータスの変化により、自分で保存している当該情報家電のステータスデータを更新するステップ２１と、
前記ホームゲートウェイサーバが、前記情報家電データ管理サーバに対して、更新後のステータスデータと前記情報家電の身分識別番号を含む状態更新メッセージを送信するステップ２２と、
前記情報家電データ管理サーバが、前記更新後のステータスデータにより、自分で保存している前記情報家電のステータスデータを更新するステップ２３と、
を実行することを特徴とする情報家電のステータスデータの更新に対するデータ処理方法である。
本発明はまた、情報家電がネットワークへの接続切断時のデータ処理方法を提供する。前記ホームゲートウェイサーバが、自分に接続されている情報家電の接続状態をリアルタイムに監視し、自分との接続切断を検出した後、前記情報家電データ管理サーバに対して、当該情報家電の身分識別番号を含む接続切断メッセージを送信することを特徴とする情報家電がネットワークへの接続切断時のデータ処理方法である。
【発明の効果】
【００１０】
本発明によれば、次の効果が達成される。
【００１１】
本発明の第１の効果は、情報家電のデータを情報家電自体に保存する必要性を無くし、情報家電のデータに対する集中管理を実現できるということである。
【００１２】
本発明の第２の効果は、ユーザーは移動端末により、情報家電データ管理サーバから情報家電のデータを容易に取得でき、情報家電データ取得の利便性を向上させるということである。
【００１３】
本発明の第３の効果は、情報家電自身に対するデータ保存・処理能力の要求が低減されるということである。
【００１４】
本発明の第４の効果は、家庭サービスの管理と運用に活用することにより、通信サービス事業者の業務拡大を実現できるということである。
【図面の簡単な説明】
【００１５】
【図１】本発明にかかる情報家電のデータ蓄積システムの第１実施例を示す構成ブロック図である。
【図２】本発明にかかる情報家電のデータ蓄積システムの第２実施例を示す構成ブロック図である。
【図３】本発明の実施例における情報家電がネットワークに接続する時のデータ処理方法を示すフローチャートである。
【図４】本発明の実施例における情報家電の利用状態データの更新に対するデータ処理方法を示すフローチャートである。
【発明を実施するための形態】
【００１６】
次に、図面と実施例を参照しながら、本発明の技術案を詳細に説明する。
図１は本発明にかかる情報家電のデータ蓄積システムの第１実施例を示す構成ブロック図である。
【００１７】
この実施例における情報家電のデータ蓄積システムは、IPによる通信ネットワークを採用できる通信ネットワーク１と、前記通信ネットワーク１に接続し、情報家電の静的データ（前記情報家電の静的データは、情報家電が出荷時に生成され、当該情報家電に関連され、且つ当該情報家電の利用に従って変化しない、当該情報家電の身分識別番号を少なくとも含むデータのことを指す）を保存する一つ又は複数の情報家電所属データベースサーバ２と、前記通信ネットワーク１に接続し、自分と接続している情報家電の状態をリアルタイムに監視する一つ又は複数のホームゲートウェイサーバ３と、通信ネットワーク１に接続し、少なくとも、利用状態にある情報家電の静的データと、当該情報家電の現在の利用状態のデータと、前記利用状態にある情報家電と接続しているホームゲートウェイサーバのアドレス情報とを含む利用状態にある情報家電の利用データを保存する一つ又は複数のホームゲートウェイサーバ４とを具備するようにしたものである。
【００１８】
本発明の実施例は、人間間の通信時のデータ保存モードを情報家電のデータ保存に導入した。情報家電が出荷される時に、メーカーは情報家電毎に、当該情報家電のコードを割り当てるべきである。当該コードは、標準的なフォーマットに基づくべきであり、当該情報家電のグローバル唯一性を持たせるべきである。当該コードは当該情報家電のＩＤ（身分識別番号）と称する。情報家電ＩＤにより、当該情報家電の所属データベースサーバをアロケートできる。情報家電ＩＤは、情報家電自身と当該情報家電の所属データベースサーバに保存される。情報家電ＩＤ以外に、ブランド・名称・設備型番・製造シリアル番号・出荷時の設定情報・対応可能な制御指令セット等の情報を含む当該情報家電の他の静的データもメーカーより提供され、情報家電が出荷される時に、既に当該情報家電の所属データベースサーバに保存されるようになった。情報家電の静的データを情報家電自体に保存する従来の保存方式と比較すると、この実施例における蓄積方式は、情報家電自体に保存する必要を無くし、情報家電自身のデータ蓄積量を低減した。複数の情報家電所属データベースサーバがある場合、一つ以上の方式で情報家電所属データベースサーバを分類することができる。例えば、情報家電の製造メーカー・種別等の方式で分類する。情報家電のIDに対しても同様な分類方法でエンコードできる。そうすると、情報家電のIDを解析すると、当該情報家電の所属データベースサーバをアロケートできるようになる。
【００１９】
情報家電データ管理サーバは一つ又は複数のホームゲートウェイサーバを管理している。ホームゲートウェイサーバは家庭内の全ての情報家電を管理している。情報家電データ管理サーバは、配下の複数のホームゲートウェイサーバで管理している利用状態にある全ての情報家電の利用データを管理する。又、情報家電のデータ管理サーバの内部で、情報家電の利用データは、ホームゲートウェイサーバ毎に組織されている。本発明の実施例において、全ての情報家電はホームゲートウェイサーバに接続できる。１つの家庭に、１つのホームゲートウェイサーバを設定できる。家庭内の全ての情報家電は当該ホームゲートウェイサーバに接続する。当該ホームゲートウェイサーバにより、家庭内の全ての情報家電への集中管理とリアルタイムの状態監視を実現する。当該ホームゲートウェイサーバは、家庭内の利用状態にある全ての情報家電の利用データを保存していて、情報家電データ管理サーバで保存されている情報家電の利用データと同期する。一方、家庭内部で、ホームゲートウェイサーバによる家庭内の情報家電の管理に有利であり、もう一方、外部ネットワークとの接続が切断された場合、ホームゲートウェイサーバで情報家電の利用データを保存し、接続が回復した後、情報家電データ管理サーバ内のデータを更新することもできる。
【００２０】
情報家電データ管理サーバとホームゲートウェイサーバは、利用状態にある情報家電の利用データのみを保存する。ホームゲートウェイサーバに新しい情報家電が接続されてきた場合、当該情報家電は、保存しているＩＤ情報をホームゲートウェイサーバを介して情報家電データ管理サーバに通知する。前記情報家電データ管理サーバは、当該情報家電ＩＤにより、当該情報家電が所属する情報家電所属データベースサーバから、当該情報家電の静的データを取得する。当該静的データは、情報家電データ管理サーバとホームゲートウェイサーバに保存されるようになる。
【００２１】
この実施例におけるデータ蓄積方式により、現在利用状態にある全ての情報家電の利用データは、情報家電データ管理サーバに保存されるようになったため、ネットワークにおける他のサーバや端末は、情報家電データ管理サーバの中から、前記利用状態にある情報家電の利用データを取得できる。従来のデータ蓄積方式と比較すると、この実施例におけるデータ蓄積方式は、極めて大きいメリットを有する。又、情報家電の利用データを取得するに、伝統なウェブページアクセス方式と即時メッセージ通信方式を採用できる。即時メッセージ通信の方式を採用する場合、情報家電データ管理サーバは、利用状態にある情報家電の利用データを保存する以外に、即時通信ユーザーが購読した情報家電イベント情報を管理する役目も備える。前記情報家電イベントは、情報家電のネットワーク接続、ネットワーク接続切断、利用状態のデータ更新等の情報家電の状態変化を指す。情報家電イベントが発生した時、情報家電データ管理サーバは、当該情報家電イベントを、当該情報家電イベント情報を購読した全ての即時通信ユーザーの端末に通知し、即時通信ユーザーの端末に対して、対応するデータを送信する。本実施例における即時メッセージ通信の方式は、広く利用されている移動端末に適用できる。又、情報購読対象となったのは、ある特定の情報家電ではなく、ホームゲートウェイサーバに対応する家庭内の全ての情報家電である。本発明の実施例において、１つのホームゲートウェイサーバは、１つの家庭に対応している。情報家電イベントの購読は、家庭内の全ての情報家電からなる情報家電セットを対象とする。即ち、情報家電のネットワーク接続イベントは、家庭内の任意の情報家電のネットワーク接続イベントを指す。情報家電にイベントが発生した時、当該情報家電の当該イベント発生情報は、サーバ間の情報通信により、情報家電データ管理サーバに通知される。情報家電データ管理サーバは、自分で保存している購読者情報により、当該情報家電のイベントを当該イベントの購読者の移動端末に即時通知する。この即時通信の方式は、ユーザーからの情報家電イベント情報の主動的な取得を不要にする。又、本実施例で実現された情報家電ネットワーク接続状態管理方式と即時通信方式は、従来の情報家電データ蓄積方式により実現できないものである。この実施例における購読者は、一般のユーザー以外に、ネットワークに設置されているサーバであっても良い。例えば、情報家電所属データベースサーバを購読者とすることができる。情報家電に特定のイベントが発生する時に、当該イベント情報を情報家電所属データベースサーバに送信できる。情報家電のメーカーと密接している情報家電所属データベースサーバは、即時メッセージの方式により、出荷後の情報家電製品の状態情報をメーカーに通知できる。
【００２２】
図２は本発明にかかる情報家電のデータ蓄積システムの第２実施例を示すブロック図である。本実施例における通信ネットワーク１は、相互接続されているＩＭＳ（ＩＰマルチメディアサブシステム）ネットワーク１１とＩＰアクセスネットワーク１２を採用する。情報家電所属データベースサーバ２と情報家電データ管理サーバ４は、ＩＭＳネットワーク１１に接続され、ホームゲートウェイサーバ３は、ＩＰアクセスネットワーク１２に接続される。ＩＭＳネットワークによると、即時通信の長所を更に生かすことができる。
【００２３】
図３は、本発明の実施例における情報家電がネットワークに接続する時のデータ処理方法を示すフローチャートである。
【００２４】
情報家電はホームゲートウェイサーバに接続してきた時、ホームゲートウェイサーバに対して、自分の身分識別番号を送信する。本発明の実施例における情報家電自体に、自分のＩＤ情報が保存されている。情報家電とホームゲートウェイサーバの間は、未接続状態から接続状態に変更した場合、前記情報家電が自分のＩＤ情報をホームゲートウェイサーバに送信するステップ１１と、
前記ホームゲートウェイサーバが、情報家電データ管理サーバに対して、前記身分識別番号を含むネットワーク接続メッセージを送信するステップ１２と、
前記情報家電データ管理サーバが前記ネットワーク接続メッセージを受信後に、前記ネットワーク接続メッセージから前記身分識別番号を取得するステップ１３と、
前記情報家電データ管理サーバが当該身分識別番号により、当該情報家電が所属する情報家電所属データベースサーバを検索し、前記情報家電所属データベースサーバから当該情報家電の静的データを取得するステップ１４と、
前記情報家電データ管理サーバが前記静的データを保存するステップ１５と、
前記情報家電データ管理サーバが当該静的データを前記ホームゲートウェイサーバに送信するステップ１６と、
前記ホームゲートウェイサーバが前記情報家電の静的データを保存するステップ１７と、
終了するステップ１８と、
を有することを特徴とする。
【００２５】
情報家電ネットワーク接続イベントを購読した購読者がある場合、前記ホームゲートウェイサーバに対応する情報家電のネットワーク接続イベントを購読した購読者情報は、前記情報家電データ管理サーバに保存される。その場合の前記ステップ１３は、前記身分識別番号を取得後に、更に、前記情報家電データ管理サーバが、前記ホームゲートウェイサーバに対応する情報家電のネットワーク接続イベントを購読した購読者情報により、前記購読者に対応する購読設備に対して、前記情報家電のＩＤ及び前記情報家電のネットワーク接続情報を含むネットワーク接続イベントメッセージを送信するプロセスも含むことができる。例えば、購読者は携帯電話を利用するユーザーである場合、そのユーザーの家庭内の情報家電がネットワークに接続してきた時に、当該ユーザーの携帯端末（購読設備）は、当該情報家電のネットワーク接続イベントメッセージを受信できる。当該ネットワーク接続イベントメッセージは、当該情報家電のＩＤとネットワーク接続状態の標識のみを含むことができる。購読設備に対して、当該情報家電の静的データ（例えば、当該情報家電が対応する制御指令セット等）を保存しないと、当該情報家電のイベントメッセージを認識できない。購読者に対応する購読設備が当該情報家電の静的データを取得する方式は様々である。例えば、情報家電データ管理サーバを介して、情報家電所属データベースサーバの中から当該情報家電の静的データを取得する。或いは、情報家電のネットワーク接続イベントが発生した時に、情報家電データ管理サーバから、関連するイベント情報を購読者に対応する購読設備に主動的にプッシュ送信する。その場合の前記ステップ１４は、前記情報家電データ管理サーバが前記情報家電の静的データを取得後に、更に、前記購読者に対応する購読設備に対して、前記身分識別番号を含むネットワーク接続イベントメッセージと前記情報家電の静的データを送信するプロセスも含むことができる。
【００２６】
情報家電所属データベースサーバは、情報家電の生産メーカーと密接に関係している。生産メーカーに情報家電の利用状況を了解させるため、情報家電所属データベースサーバも１つの購読者とすることができる。情報家電所属データベースサーバには、既に情報家電の静的データを保存している。そのため、前記ステップ１４は、前記購読者に対応する購読設備に対して、前記身分識別番号を含むネットワーク接続イベントメッセージと前記情報家電の静的データを送信する前、更に、前記情報家電データ管理サーバは、前記購読設備が前記情報家電所属データベースサーバであるかどうかを判断する。前記情報家電所属データベースサーバである場合は、前記情報家電所属データベースサーバに、前記ネットワーク接続イベントメッセージを送信する。そうでない場合は、前記購読者に対応する購読設備に対して、前記身分識別番号を含む前記ネットワーク接続イベントメッセージと前記情報家電の静的データを送信する操作を実行するプロセスも含むことができる。
【００２７】
又、現在に利用状態にある情報家電の利用データを保存しているホームゲートウェイサーバと情報家電データ管理サーバの間は、データの同期を取る必要がある。即ち、利用状態から未利用状態に変化した情報家電がある場合、ホームゲートウェイサーバと情報家電データ管理サーバに保存されている当該情報家電の利用データを削除すべきである。実際応用の場合、情報家電利用状態の検出は、ホームゲートウェイサーバによる家庭内の情報家電に対するリアルタイム監視により完成される。情報家電とホームゲートウェイサーバとの接続切断に沢山の原因があり、暫定中断の可能性があるため、情報家電の接続切断を検出した時、ホームゲートウェイサーバと情報家電データ管理サーバは、一定の時間を経過してから、対応するデータを削除しても良い。そのため、前記ステップ１３と前記ステップ１４の間は更に、前記情報家電データ管理サーバに、前記情報家電の身分識別番号が保存されているかどうかを確認する。保存されている場合は、ステップ１８を実行する。そうでない場合はステップ１４を実行するステップ１３aも含むことができる。それに対応して、情報家電データ管理サーバに、前記ホームゲートウェイサーバに対応する前記情報家電のネットワーク接続イベントの購読者情報が保存されている場合、前記ステップ１３aは更に、前記情報家電データ管理サーバに、前記情報家電の身分識別番号が保存されている場合、前記購読者に対応する購読設備に対して、ネットワーク接続イベントメッセージを送信してから、ステップ１８を実行するプロセスを含む。前記情報家電データ管理サーバに、前記情報家電の身分識別番号が保存されていない場合、前記ステップ１４は、情報家電データ管理サーバは、当該情報家電の静的データを取得後に、前記購読者に対応する購読設備に対して、ネットワーク接続イベントメッセージと当該情報家電の静的データを送信するプロセスを含む。前記ステップ１４は、更に、続いて前記購読設備は前記情報家電所属データベースサーバであるかどうかを判断し、前記情報家電所属データベースサーバである場合、前記情報家電所属データベースサーバに対して、前記ネットワーク接続イベントメッセージを送信する。そうでない場合は、前記購読者に対応する購読設備に対して、ネットワーク接続イベントメッセージと当該情報家電の静的データを送信するプロセスも含むことができる。
【００２８】
図４は、本発明にかかる情報家電の利用状態データ更新に対するデータ処理方法を示すフローチャートである。具体的には、
ホームゲートウェイサーバが、情報家電の状態をリアルタイムに監視し、検出された情報家電の状態変化により、自分で保存している当該情報家電の利用状態データを更新するステップ２１と、
前記ホームゲートウェイサーバが、前記情報家電データ管理サーバに対して、更新後の利用状態データと前記情報家電の身分識別番号を含む利用状態データ更新のメッセージを送信するステップ２２と、
前記情報家電データ管理サーバが、前記更新後の利用状態データにより、自分で保存している前記情報家電の利用状態データを更新するステップ２３と、
を有することを特徴とする情報家電の利用状態データ更新に対するデータ処理方法である。
【００２９】
当該利用状態データ更新イベントを購読した購読者がある場合、前記ホームゲートウェイサーバに対応する情報家電の利用状態データ更新イベントを購読した購読者情報が、前記情報家電データ管理サーバに保存されるようになる。その場合、前記ステップ２３の後は、更に、前記情報家電データ管理サーバが、自分で保存している前記ホームゲートウェイサーバに対応する情報家電の利用状態データ更新イベントの購読者情報により、前記購読者に対応する購読設備に対して、更新後の利用状態データと前記情報家電の身分識別番号を含む利用状態データ更新イベントのメッセージを送信するプロセスも含むことができる。
【００３０】
情報家電が主動的に電源をオフにした場合、或いは、何かの原因で、ホームゲートウェイサーバとの接続が切断された（情報家電の接続切断と呼ばれる）場合、情報家電の接続状態をリアルタイムに監視しているホームゲートウェイサーバは、情報家電からの接続切断を検出した場合、前記情報家電データ管理サーバに対して、当該情報家電の接続切断メッセージを送信する。
【００３１】
ホームゲートウェイサーバと情報家電データ管理サーバに、利用状態にある情報家電の利用データのみが保存されるため、接続切断となった情報家電に対して、当該情報家電の利用データを削除する必要がある。情報家電の接続切断に色々な原因があり、暫定なネットワーク中断の可能性があるため、ホームゲートウェイサーバは、情報家電と自分の接続切断を検出後に、設定した時間帯で、依然として当該情報家電からの再接続を検出しなければ、自分で保存している当該情報家電の利用データを削除する。情報家電データ管理サーバは、前記接続切断メッセージを受信後に、設定した時間帯で、当該情報家電の利用状態データ更新メッセージ、又は、ネットワーク接続メッセージを受信しなければ、自分で保存している前記情報家電の利用データを削除する。
【００３２】
又、当該接続切断イベントを購読した購読者がある場合、前記ホームゲートウェイサーバに対応する情報家電の接続切断イベントを購読した購読者情報が前記情報家電データ管理サーバに保存されるようになる。前記情報家電データ管理サーバは、前記接続切断メッセージを受信後に、前記購読者に対応する購読設備に対して、前記情報家電のネットワーク接続切断を通知するためのネットワーク接続切断イベントメッセージを送信する。
【００３３】
最後に注意するべきことは、前記実施例は本発明の技術的な解決手段の説明だけであり、技術上の制限とはならない。本明細書では上述した実施例を参照し本発明を詳しく解説したが、当業者により、上述した技術的な解決手段を改造し、またはその中の一部の技術要素を置換することもできる。そのような改造と置換は本発明の各実施例の技術の範囲から逸脱するとは見なされない。
【図１】
2010527475.tif 000003
【図２】
2010527475.tif 000004
【図３】
2010527475.tif 000005
【図４】
2010527475.tif 000006
【手続補正書】
【提出日】平成21年11月5日(2009.11.5)
【手続補正１】
【補正対象書類名】明細書
【補正対象項目名】０００７
【補正方法】変更
【補正の内容】
【０００７】
本発明の第２の目的は、情報家電のデータ処理方法を提供することにある。情報家電の身分識別番号を含むネットワーク接続メッセージを送信することにより、当該情報家電がネットワークに接続してきたことを情報家電データ管理サーバに通知すると共に、当該情報家電の静的データを取得する。ネットワークサーバを経由して、情報家電ネットワーク接続時の情報家電のデータに対するリアルタイム管理を実現する。
【手続補正２】
【補正対象書類名】明細書
【補正対象項目名】０００８
【補正方法】変更
【補正の内容】
【０００８】
本発明は上述目的を達成するため、情報家電のデータ蓄積システムを提供する。本発明にかかる情報家電のデータ蓄積システムは、
当該情報家電の身分識別番号情報を少なくとも含む情報家電の静的データを保存する一つ又は複数の前記情報家電所属データベースサーバと、
自分と接続されている情報家電の状態をリアルタイムに監視する一つか又は複数のホームゲートウェイサーバと、
前記利用状態にある情報家電の静的データと利用状態データ、及び前記利用状態にある情報家電と接続しているホームゲートウェイサーバのアドレス情報を少なくとも含む利用状態にある情報家電の利用データを保存する一つか又は複数の前記情報家電データ管理サーバと、
を有することを特徴とする情報家電のデータ蓄積システムである。
【手続補正３】
【補正対象書類名】明細書
【補正対象項目名】０００９
【補正方法】変更
【補正の内容】
【０００９】
本発明は、又、情報家電のデータ処理方法を提供する。
情報家電がホームゲートウェイサーバに接続する時に、前記ホームゲートウェイサーバに対して、自分の身分識別番号を送信するステップ１１と、
前記ホームゲートウェイサーバが、情報家電データ管理サーバに対して、前記身分識別番号を含むネットワーク接続メッセージを送信するステップ１２と、
前記情報家電データ管理サーバが前記ネットワーク接続メッセージを受信後に、前記ネットワーク接続メッセージから前記身分識別番号を取得するステップ１３と、
前記情報家電データ管理サーバが当該身分識別番号により、当該情報家電が所属する情報家電所属データベースサーバを検索し、前記情報家電所属データベースサーバから、当該情報家電の静的データを取得するステップ１４と、
前記情報家電データ管理サーバが前記静的データを保存するステップ１５と、
前記情報家電データ管理サーバが当該静的データを前記ホームゲートウェイサーバに送信するステップ１６と、
前記ホームゲートウェイサーバが前記静的データを保存するステップ１７と、
を有することを特徴とする情報家電がネットワークに接続する時のデータ処理方法である。
【手続補正４】
【補正対象書類名】特許請求の範囲
【補正対象項目名】全文
【補正方法】変更
【補正の内容】
【特許請求の範囲】
【請求項１】
相互接続されている一つ又は複数の情報家電所属データベースサーバと、一つ又は複数のホームゲートウェイサーバと、一つ又は複数の情報家電データ管理サーバとを備えた情報家電のデータ蓄積システムであって、
当該情報家電の身分識別番号を少なくとも含む情報家電の静的データを保存する前記情報家電所属データベースサーバと、
自分と接続している情報家電の状態をリアルタイムに監視する前記ホームゲートウェイサーバと、
利用状態にある情報家電の静的データと利用状態データ、及び前記利用状態にある情報家電と接続しているホームゲートウェイサーバのアドレス情報を少なくとも含む利用状態にある情報家電の利用データを保存する前記情報家電データ管理サーバと、
を有することを特徴とする情報家電のデータ蓄積システム。
【請求項２】
通信ネットワークを介して相互接続されている前記情報家電所属データベースサーバと前記ホームゲートウェイサーバと前記情報家電データ管理サーバとを有することを特徴とする請求項１記載の前記情報家電のデータ蓄積システム。
【請求項３】
前記通信ネットワークは、相互接続されているＩＰマルチメディアサブシステムネットワーク及びＩＰアクセスネットワークを含み、前記情報家電所属データベースサーバ及び前記情報家電データ管理サーバは、前記ＩＰマルチメディアサブシステムネットワークに接続され、前記ホームゲートウェイサーバはＩＰアクセスネットワークに接続されることを特徴とする請求項２記載の情報家電のデータ蓄積システム。
【請求項４】
情報家電がホームゲートウェイサーバに接続する時に、前記ホームゲートウェイサーバに対して、自分の身分識別番号を送信するステップ１１と、
前記ホームゲートウェイサーバが、情報家電データ管理サーバに対して、前記身分識別番号を含むネットワーク接続メッセージを送信するステップ１２と、
前記情報家電データ管理サーバが前記ネットワーク接続メッセージを受信後に、前記ネットワーク接続メッセージから前記身分識別番号を取得するステップ１３と、
前記情報家電データ管理サーバが当該身分識別番号により、当該情報家電が所属する情報家電所属データベースサーバを検索し、前記情報家電所属データベースサーバから当該情報家電の静的データを取得するステップ１４と、
前記情報家電データ管理サーバが前記静的データを保存するステップ１５と、
前記情報家電データ管理サーバが当該静的データを前記ホームゲートウェイサーバに送信するステップ１６と、
前記ホームゲートウェイサーバが前記情報家電の静的データを保存するステップ１７と、
を有することを特徴とする情報家電ネットワーク接続時のデータ処理方法。
【請求項５】
前記ステップ１３とステップ１４の間に更に、前記情報家電データ管理サーバに、前記身分識別番号が保存されているかどうかを検索し、保存されている場合は、データ処理を終了し、保存されていない場合は、ステップ１４を実行するステップ１３aを有することを特徴とする請求項４記載の方法。
【請求項６】
情報家電データ管理サーバに、前記ホームゲートウェイサーバに対応する情報家電のネットワーク接続イベントを購読した購読者情報が保存されている場合、前記ステップ１３ａは、前記情報家電データ管理サーバに前記情報家電の身分識別番号が保存されている場合、前記データ処理を終了する前に更に、前記情報家電データ管理サーバが、自分で保存している前記購読者情報により、前記購読者に対応する購読設備に対して、前記身分識別番号を含むネットワーク接続イベントメッセージを送信するプロセスを含むことを特徴とする請求項５記載の方法。
【請求項７】
前記ステップ１４は、情報家電がデータ管理サーバの中から当該情報家電の静的データを取得した後、更に、前記情報家電データ管理サーバが、自分で保存している、前記ホームゲートウェイサーバに対応する情報家電のネットワーク接続イベントを購読した購読者情報により、前記購読者に対応する購読設備に対して、前記身分識別番号を含むネットワーク接続イベントメッセージ及び前記情報家電の静的データを送信するプロセスを含むことを特徴とする請求項５記載の方法。
【請求項８】
前記購読者に対応する購読設備に対して、前記身分識別番号を含むネットワーク接続イベントメッセージ及び前記情報家電の静的データを送信する前に更に、前記購読設備が前記情報家電所属データベースサーバであるかどうかを判断し、前記情報家電所属データベースサーバである場合、前記情報家電所属データベースサーバに対して、前記身分識別番号を含むネットワーク接続イベントメッセージを送信し、前記情報家電所属データベースサーバでない場合、前記購読者に対応する購読設備に対して、前記身分識別番号を含むネットワーク接続イベントメッセージ及び前記情報家電の静的データを送信する操作を実行することを特徴とする請求項７記載の方法。
【請求項９】
前記ステップ１３は、前記身分識別番号を取得後に更に、情報家電データ管理サーバが、自分で保存している、前記ホームゲートウェイサーバに対応する情報家電のネットワーク接続イベントを購読した購読者情報により、前記購読者に対応する購読設備に対して、前記身分識別番号を含むネットワーク接続イベントメッセージを送信するプロセスを含むことを特徴とする請求項４記載の方法。
【請求項１０】
前記ステップ１４は、前記情報家電データ管理サーバが前記情報家電の静的データを取得後に更に、自分で保存している、前記ホームゲートウェイサーバに対応する情報家電のネットワーク接続イベントを購読した購読者情報により、前記購読者に対応する購読設備に対して、前記身分識別番号を含むネットワーク接続イベントメッセージ及び前記情報家電の静的データを送信するプロセスを含むことを特徴とする請求項４記載の方法。
【請求項１１】
前記ステップ１４は、前記購読者に対応する購読設備に対して、前記身分識別番号を含むネットワーク接続イベントメッセージ及び前記情報家電の静的データを送信する前に、更に、前記購読設備が、前記情報家電所属データベースサーバであるかどうかを判断し、前記情報家電所属データベースサーバである場合、前記情報家電所属データベースサーバに対して、前記ネットワーク接続イベントメッセージを送信し、前記情報家電所属データベースサーバでない場合、前記購読者に対応する購読設備に対して、前記身分識別番号を含む前記ネットワーク接続イベントメッセージ及び前記情報家電の静的データを送信するプロセスを含むことを特徴とする請求項１０記載の方法。
【請求項１２】
前記ホームゲートウェイサーバが、情報家電の接続状態をリアルタイムに監視し、自分との接続が切断したことを検出した後、前記情報家電データ管理サーバに対して、当該情報家電の身分識別番号を含むネットワーク接続切断メッセージを送信するプロセスを更に含むことを特徴とする請求項４記載の方法。
【請求項１３】
前記ホームゲートウェイサーバは前記情報家電との接続切断を検出した後、設定された時間帯で当該情報家電からの再接続を検出しなければ、自分で保存している当該情報家電の利用データを削除することを特徴とする請求項１２記載の方法。
【請求項１４】
前記情報家電データ管理サーバは、前記接続切断メッセージを受信した後、設定された時間帯で、当該情報家電の利用状態データ更新メッセージ又はネットワーク接続メッセージを受信しなければ、自分で保存している当該情報家電の利用データを削除することを特徴とする請求項１３記載の方法。
【請求項１５】
前記情報家電データ管理サーバは、前記ネットワーク接続切断メッセージを受信した後、自分で保存している前記ホームゲートウェイサーバに対応する情報家電のネットワーク接続切断イベントを購読した購読者情報により、前記購読者に対応する購読設備に対して、前記情報家電の身分識別番号を含むネットワーク接続切断イベントメッセージを送信することを特徴とする請求項１２記載の方法。
【国際調査報告】
2010527475.tif 000007
2010527475.tif 000008
2010527475.tif 000009
2010527475.tif 000010
2010527475.tif 000011
2010527475.tif 000012